(57)【特許請求の範囲】
【請求項１】
入力電圧を供給する入力端子に接続され、チャージポンプ出力端子にチャージポンプ出力電圧を供給するチャージポンプ回路と、
前記チャージポンプ出力端子に接続され、レギュレータ出力端子にレギュレータ出力電圧を供給するレギュレータと、
前記チャージポンプ出力端子に接続され、前記チャージポンプ出力電圧をモニターして、前記チャージポンプ回路に適応倍率を調整するための第１フィードバック信号を供給する第１検出回路と、
前記入力端子に接続され、前記入力電圧をモニターする第２検出回路と、
前記第１検出回路と前記第２検出回路との間に接続され、前記第１検出回路と前記第２検出回路の検出結果を比較して、前記チャージポンプ回路に適応倍率を調整するための第２フィードバック信号を供給する論理回路と、
を備え、
前記チャージポンプ出力電圧が低下して、前記チャージポンプ出力電圧が前記レギュレータ出力電圧と等しくなるとき、前記チャージポンプ回路の適応倍率を引き上げることを特徴とするチャージポンプ適応倍率回路。
【請求項２】
前記レギュレータ出力端子に接続され、前記レギュレータ出力電圧の電流パルスをモニターして、前記チャージポンプ回路に適応倍率を調整するための第３フィードバック信号を供給する第３検出回路を備えることを特徴とする請求項１に記載のチャージポンプ適応倍率回路。
【請求項３】
入力電圧を供給する入力端子に接続されたスイッチと、前記スイッチによって切り替え可能な第１チャージポンプユニットおよび第２チャージポンプユニットとを有し、チャージポンプ出力端子に前記第１チャージポンプユニット若しくは前記第２チャージポンプユニットのいずれかのチャージポンプ出力電圧を供給するチャージポンプ回路と、
前記チャージポンプ出力端子に接続され、レギュレータ出力端子にレギュレータ出力電圧を供給するレギュレータと、
前記第２チャージポンプユニットにオン／オフ信号を供給する発振器と前記チャージポンプ出力端子に接続され、前記チャージポンプ出力電圧をモニターして、前記チャージポンプ回路に適応倍率を調整するための第１フィードバック信号を供給する第１検出回路と、
前記入力端子に接続され、前記入力電圧をモニターする第２検出回路と、
前記第１検出回路と前記第２検出回路との間に接続され、前記第１検出回路と前記第２検出回路の検出結果を比較して、前記チャージポンプ回路に適応倍率を調整するための第２フィードバック信号を供給する論理回路と、
を備え、
前記チャージポンプ出力電圧が低下して、前記チャージポンプ出力電圧が前記レギュレータ出力電圧と等しくなるとき、前記第１チャージポンプ回路を動作させず、前記第２チャージポンプ回路のみを動作させることを特徴とするチャージポンプ適応倍率回路。
【請求項４】
前記レギュレータ出力端子に接続され、前記レギュレータ出力電圧の電流パルスをモニターして、前記チャージポンプ回路に適応倍率を調整するための第３フィードバック信号を供給する第３検出回路を備えることを特徴とする請求項３に記載のチャージポンプ適応倍率回路。
【請求項５】
前記第１チャージポンプユニットは適応倍率１で動作可能であり、前記第２チャージポンプユニットは適応倍率２で動作可能であることを特徴とする請求項３または請求項４に記載のチャージポンプ適応倍率回路。
【請求項６】
適応倍率１の動作時は、前記発振器は、前記第２チャージポンプユニットにオフ信号を供給すると共に、前記スイッチは、前記入力端子を前記第１チャージポンプユニットに接続することを特徴とする請求項５に記載のチャージポンプ適応倍率回路。
【請求項７】
適応倍率２の動作時は、前記発振器は、前記第２チャージポンプユニットにオン信号を供給すると共に、前記スイッチは、前記入力端子を前記第２チャージポンプユニットに接続することを特徴とする請求項５に記載のチャージポンプ適応倍率回路。
【発明の詳細な説明】
【技術分野】
【０００１】
本発明は、チャージポンプ適応倍率回路に関し、特に、低損失化されたチャージポンプ適応倍率回路に関する。
【背景技術】
【０００２】
チャージポンプ回路は、携帯電話、スマートフォン、ＰＤＡ、ポータブル・メディア・プレーヤー、デジタルカメラ、無線ＬＡＮなどのモバイル製品の電源装置などに広く適用されている（例えば、特許文献１および特許文献２参照。）。
【先行技術文献】
【特許文献】
【０００３】
【特許文献１】特開２０１０−１６１８７３号公報
【特許文献２】特開２００９−１２４８２６号公報
【発明の概要】
【発明が解決しようとする課題】
【０００４】
従来のチャージポンプ回路では、チャージポンプの倍率が一定のため、損失が大きい。
【０００５】
本発明の目的は、入出力電圧の倍率を可変にすることにより、低損失化されたチャージポンプ適応倍率回路を提供することにある。
【課題を解決するための手段】
【０００６】
一態様によれば、入力電圧を供給する入力端子に接続され、チャージポンプ出力端子にチャージポンプ出力電圧を供給するチャージポンプ回路と、前記チャージポンプ出力端子に接続され、レギュレータ出力端子にレギュレータ出力電圧を供給するレギュレータと、前記チャージポンプ出力端子に接続され、前記チャージポンプ出力電圧をモニターして、前記チャージポンプ回路に適応倍率を調整するための第１フィードバック信号を供給する第１検出回路と、前記入力端子に接続され、前記入力電圧をモニターする第２検出回路と、前記第１検出回路と前記第２検出回路との間に接続され、前記第１検出回路と前記第２検出回路の検出結果を比較して、前記チャージポンプ回路に適応倍率を調整するための第２フィードバック信号を供給する論理回路と、を備え、前記チャージポンプ出力電圧が低下して、前記チャージポンプ出力電圧が前記レギュレータ出力電圧と等しくなるとき、前記チャージポンプ回路の適応倍率を引き上げるチャージポンプ適応倍率回路が提供される。
【発明の効果】
【０００７】
本発明によれば、入出力電圧の倍率を可変にすることより、低損失化されたチャージポンプ適応倍率回路を提供することができる。
【図面の簡単な説明】
【０００８】
【図１】第１の実施の形態に係るチャージポンプ適応倍率回路の模式的ブロック構成図。
【図２】比較例に係るチャージポンプ適応倍率回路の入出力特性における損失の説明図。
【図３】第１の実施の形態に係るチャージポンプ適応倍率回路の入出力特性における損失の説明図。
【図４】第１の実施の形態に係るチャージポンプ適応倍率回路のチャージポンプの倍率可変動作による効率特性の説明図。
【図５】第２の実施の形態に係るチャージポンプ適応倍率回路の模式的ブロック構成図。
【図６】第３の実施の形態に係るチャージポンプ適応倍率回路の模式的ブロック構成図。
【図７】第４の実施の形態に係るチャージポンプ適応倍率回路の模式的ブロック構成図。
【図８】第５の実施の形態に係るチャージポンプ適応倍率回路の模式的ブロック構成図。
【図９】第５の実施の形態の変形例１に係るチャージポンプ適応倍率回路の模式的ブロック構成図。
【図１０】第５の実施の形態の変形例２に係るチャージポンプ適応倍率回路の模式的ブロック構成図。
【発明を実施するための形態】
【０００９】
次に、図面を参照して、本発明の実施の形態を説明する。以下の図面の記載において、同一又は類似の部分には同一又は類似の符号を付している。ただし、図面は模式的なものであり、各回路素子の平面寸法の関係、配置、大きさ等は現実のものとは異なることに留意すべきである。又、図面相互間においても互いの寸法の関係や比率が異なる部分が含まれていることはもちろんである。
【００１０】
又、以下に示す実施の形態は、この発明の技術的思想を具体化するための装置や方法を例示するものであって、この発明の実施の形態は、各回路素子の配置等を下記のものに特定するものでない。この発明の実施の形態は、特許請求の範囲において、種々の変更を加えることができる。
【００１１】
（第１の実施の形態）
本発明の第１の実施の形態に係るチャージポンプ適応倍率回路１は、図１に示すように、入力電圧ＶINを供給する入力端子Ｐiに接続され、チャージポンプ出力端子ＰCPOにチャージポンプ出力電圧ＶCPOを供給するチャージポンプ回路１０と、チャージポンプ出力端子ＰCPOに接続され、レギュレータ出力端子ＰLDOにレギュレータ出力電圧ＶLDOを供給するレギュレータ１２とを備え、チャージポンプ回路１０の適応倍率を調整する。
【００１２】
ここで、第１の実施の形態に係るチャージポンプ適応倍率回路１においては、チャージポンプ回路１０の適応倍率を、入力電圧ＶINの値に応じて、例えば、１倍から２倍に、或いは、２倍から１倍に切り替えることによって、適応倍率を調整することができる。
【００１３】
入力電圧ＶINを供給する入力端子Ｐiには、入力キャパシタＣiが接続されている。チャージポンプ回路１０のキャパシタ端子Ｐ1・Ｐ2間には、充電用キャパシタＣ1が接続されている。チャージポンプ出力端子ＰCPOには、出力キャパシタＣO1が接続され、レギュレータ出力端子ＰLDOには、出力キャパシタＣO2が接続されている。
【００１４】
チャージポンプ出力端子ＰCPOにおける負荷が重い場合には、チャージポンプ回路１０の適応倍率を、例えば、１倍から２倍に切り替える動作を早期に実行する。また、チャージポンプ出力端子ＰCPOにおける負荷が軽い場合には、チャージポンプ回路１０の適応倍率を、例えば、１倍に保持する時間を長くすれば良い。
【００１５】
比較例に係るチャージポンプ回路の入出力特性における損失は、図２に示すように表される。
【００１６】
図２において、ＶCPO＝ＶIN×２で表される実線は、チャージポンプの倍率が２倍に相当する。一方、ＶCPO＝ＶIN×１で表される破線は、チャージポンプの倍率が１倍に相当する。ここで、チャージポンプ回路１０の閾値電圧をＶthとすると、比較例のチャージポンプ回路では、チャージポンプの倍率が一定のため、斜線部Ｑで示される部分が損失となる。
【００１７】
図２において、チャージポンプ回路１０の入出力特性と、レギュレータ１２の入出力特性が交差するとき、入力電圧ＶINは、交差電圧Ｖpの値に等しい。すなわち、交差電圧Ｖpは、チャージポンプ出力電圧ＶCPOがレギュレータ出力電圧ＶLDOに等しくなる入力電圧ＶINである。
【００１８】
第１の実施の形態に係るチャージポンプ適応倍率回路１の入出力特性における損失は、図３に示すように表される。すなわち、第１の実施の形態に係るチャージポンプ適応倍率回路１では、斜線部Ｐで示される部分が損失となる。
【００１９】
図３において、入力電圧ＶINが、交差電圧Ｖpの値に等しい時、チャージポンプ回路１０の入出力特性と、レギュレータ１２の入出力特性が交差する。領域Ａ（適応倍率が２倍の範囲）は、ＶCPO＝ＶIN×２の実線で表される。一方、領域Ｂ（適応倍率が２倍の範囲）は、ＶCPO＝ＶIN×１の実線で表される。
【００２０】
チャージポンプ回路１０の閾値電圧をＶthとすると、第１の実施の形態に係るチャージポンプ適応倍率回路１では、チャージポンプの倍率を、入力電圧ＶINが交差電圧Ｖpの値に等しい時に、２倍から１倍、若しくは１倍から２倍に切り替えるため、斜線部Ｑよりも小さな斜線部Ｐで示される部分が損失となる。
【００２１】
すなわち、図２と図３を比較すると、第１の実施の形態に係るチャージポンプ適応倍率回路１においては、比較例に比べ、斜線部Ｑと斜線部Ｐの差分の損失が低減化される。
【００２２】
第１の実施の形態に係るチャージポンプ適応倍率回路１においては、チャージポンプ出力端子ＰCPOにおけるチャージポンプ出力電圧ＶCPOが低下して、ＶCPO＝ＶLDOに等しくなる入力電圧ＶIN＝Ｖpを検出すると、チャージポンプ回路１０の適応倍率を１倍から２倍に切り替えるという動作を行う。
【００２３】
逆に、チャージポンプ出力端子ＰCPOにおけるチャージポンプ出力電圧ＶCPOが上昇して、ＶCPO＝ＶLDOに等しくなる入力電圧ＶIN＝Ｖpを検出すると、チャージポンプ回路１０の適応倍率を２倍から１倍に切り替えるという動作を行う。
【００２４】
第１の実施の形態に係るチャージポンプ適応倍率回路１のチャージポンプの倍率可変動作による効率特性は図４に示すように表される。図４においては、入力電圧ＶINと効率φとの関係が示されている。
【００２５】
入力電圧ＶINが交差電圧Ｖpよりも大きい場合には、チャージポンプ回路１０の適応倍率は、１倍である。入力電圧ＶINが、領域Ｂ（適応倍率が１倍の範囲）内で、入力電圧Ｖi1から次第に低下して、閾値電圧Ｖthを超えて、交差電圧Ｖpに到達した段階で、チャージポンプ回路１０の適応倍率を２倍に切り替えると、実線で示されるように、入力電圧ＶIN＝Ｖpで、効率φ＝φpとなるため、効率φの高い所での切り替えを実行することができる。一方、入力電圧ＶINが、領域Ｂ（適応倍率が１倍の範囲）内で、入力電圧Ｖi1から次第に低下して、閾値電圧Ｖthに到達した段階で、チャージポンプ回路１０の適応倍率を２倍に切り替えると、破線で示されるように、入力電圧ＶIN＝Ｖthで、効率φ＝φ0となるため、効率φの低い所で切り替えを実行することになり、図４に示される斜線部分が、非効率な動作領域となる。
【００２６】
同様に、入力電圧ＶINが交差電圧Ｖpよりも小さい場合には、チャージポンプ回路１０の適応倍率は、２倍である。入力電圧ＶINが、領域Ａ（適応倍率が２倍の範囲）内で、入力電圧ＶIN が次第に上昇して、交差電圧Ｖpに到達した段階で、チャージポンプ回路１０の適応倍率を１倍に切り替えると、実線で示されるように、入力電圧ＶIN＝Ｖpで、効率φ＝φpとなるため、効率φの高い所での切り替えを実行することができる。一方、入力電圧ＶINが、領域Ｂ（適応倍率が１倍の範囲）内で、閾値電圧Ｖthに到達した段階で、チャージポンプ回路１０の適応倍率を１倍に切り替えると、破線で示されるように、入力電圧ＶIN＝Ｖthで、効率φ＝φ0となるため、効率φの低い所で切り替えを実行することになり、図４に示される斜線部分が、非効率な動作領域となる。
【００２７】
第１の実施の形態によれば、入出力電圧の倍率を可変にすることより、低損失化されたチャージポンプ適応倍率回路を提供することができる。
【００２８】
（第２の実施の形態）
第２の実施の形態に係るチャージポンプ適応倍率回路１は、図５に示すように、チャージポンプ出力端子ＰCPOに接続され、チャージポンプ出力電圧ＶCPOをモニターして、チャージポンプ回路１０に適応倍率を調整するためのフィードバック信号Ｓf1を供給する検出回路１４を備える。その他の構成および動作は、第１の実施の形態と同様であるため、重複説明は省略する。
【００２９】
第２の実施の形態によれば、チャージポンプ出力電圧ＶCPOの検出結果に基づいて、入出力電圧の倍率を可変にすることより、低損失化されたチャージポンプ適応倍率回路を提供することができる。
【００３０】
（第３の実施の形態）
第３の実施の形態に係るチャージポンプ適応倍率回路１は、図６に示すように、チャージポンプ出力端子ＰCPOに接続され、チャージポンプ出力電圧ＶCPOをモニターする検出回路１４と、入力端子Ｐiに接続され、入力電圧ＶINをモニターする検出回路１６と、検出回路１４と検出回路１６との間に接続され、検出回路１４と検出回路１６の検出結果を比較して、チャージポンプ回路１０に適応倍率を調整するためのフィードバック信号Ｓf2を供給する論理回路１８とを備える。
【００３１】
第３の実施の形態に係るチャージポンプ適応倍率回路１においては、論理回路１８内に、予め、検出回路１４と検出回路１６の検出結果にも基づいて、チャージポンプ回路１０の適応倍率を変化させるためのフィードバック信号Ｓf2をプログラムしておくとができる。その他の構成および動作は、第１の実施の形態と同様であるため、重複説明は省略する。
【００３２】
第３の実施の形態によれば、入力電圧ＶINとチャージポンプ出力電圧ＶCPOとの検出結果を比較して、入出力電圧の倍率を可変にすることにより、低損失化されたチャージポンプ適応倍率回路を提供することができる。
【００３３】
（第４の実施の形態）
第４の実施の形態に係るチャージポンプ適応倍率回路１は、図７に示すように、レギュレータ出力端子ＰLDOに接続され、レギュレータ出力電圧ＶLDOのＡＣ成分をモニターして、チャージポンプ回路１０に適応倍率を調整するためのフィードバック信号Ｓf3を供給する検出回路２０を備える。
【００３４】
検出回路２０においては、レギュレータ出力端子ＰLDOの負荷電流によって変化するレギュレータ出力電圧ＶLDOの変動を、ＡＣ的な電流パルスとして検出する。検出回路２０は、この検出結果に基づいて、チャージポンプ回路１０に適応倍率を調整するためのフィードバック信号Ｓf3を出力、チャージポンプ回路１０の適応倍率を、例えば、１倍から２倍、若しくは２倍から1倍へと変化させることができる。その他の構成および動作は、第１の実施の形態と同様であるため、重複説明は省略する。
【００３５】
第４の実施の形態によれば、レギュレータ出力電圧ＶLDOのＡＣ成分の検出結果に基づいて、入出力電圧の倍率を可変にすることにより、低損失化されたチャージポンプ適応倍率回路を提供することができる。
【００３６】
（第５の実施の形態）
第５の実施の形態に係るチャージポンプ適応倍率回路１は、図８に示すように、入力電圧ＶINを供給する入力端子Ｐiに接続されたスイッチＳ１，Ｓ２と、スイッチＳ１，Ｓ２によって切り替え可能な第１チャージポンプユニット１０ａおよび第２チャージポンプユニット１０ｂとを有し、チャージポンプ出力端子ＰCPOに第１チャージポンプユニット１０ａ若しくは第２チャージポンプユニット１０ｂのいずれかのチャージポンプ出力電圧ＶCPOを供給するチャージポンプ回路１０と、チャージポンプ出力端子ＰCPOに接続され、レギュレータ出力端子ＰLDOにレギュレータ出力電圧ＶLDOを供給するレギュレータ１２と、第２チャージポンプユニット１０ｂにオン／オフ信号を供給する発振器２４とを備え、チャージポンプ回路１０の適応倍率を調整する。
【００３７】
また、チャージポンプ出力端子ＰCPOに接続され、チャージポンプ出力電圧ＶCPOをモニターして、チャージポンプ回路１０に適応倍率を調整するためのフィードバック信号Ｓf1を供給する検出回路１４を備えていても良い。ここで、フィードバック信号Ｓf1は、発振器２４に供給されると共に、スイッチＳ１，Ｓ２にも供給される。
【００３８】
また、例えば、第１チャージポンプユニット１０ａは適応倍率１で動作可能であり、第２チャージポンプユニット１０ｂは適応倍率２で動作可能である。
【００３９】
適応倍率１の動作時は、発振器２４は、第２チャージポンプユニット１０ｂにオフ信号を供給すると共に、スイッチＳ１により、入力端子Ｐiを第１チャージポンプユニット１０ａに接続する。すなわち、適応倍率１の動作時は、第１チャージポンプユニット１０ａのみが動作し、第２チャージポンプユニット１０ｂは、動作しない。この時、第１チャージポンプユニット１０ａチャージポンプ出力端子ＰCPOには、第１チャージポンプユニット１０ａによって、入力電圧ＶINに等しいチャージポンプ出力電圧ＶCPO＝ＶIN×１が供給される。
【００４０】
一方、適応倍率２の動作時は、発振器２４は、第２チャージポンプユニット１０ｂにオン信号を供給すると共に、スイッチＳ２により、入力端子Ｐiを第２チャージポンプユニット１０ｂに接続する。すなわち、適応倍率２の動作時は、第２チャージポンプユニット１０ｂのみが動作し、第１チャージポンプユニット１０ａは、動作しない。この時、チャージポンプ出力端子ＰCPOには、第２チャージポンプユニット１０ｂによって、入力電圧ＶINの２倍に等しいチャージポンプ出力電圧ＶCPO＝ＶIN×２が供給される。
【００４１】
その他の構成および動作は、第１および第２の実施の形態と同様であるため、重複説明は省略する。
【００４２】
第５の実施の形態によれば、チャージポンプ出力電圧ＶCPOの検出結果に基づいて、入出力電圧の倍率を可変にすることより、低損失化されたチャージポンプ適応倍率回路を提供することができる。
【００４３】
（変形例１）
第５の実施の形態に係るチャージポンプ適応倍率回路１には、図６に示された第３の実施の形態と同様の構成も適用可能である。
【００４４】
第５の実施の形態の変形例１に係るチャージポンプ適応倍率回路１は、図９に示すように、チャージポンプ出力端子ＰCPOに接続され、チャージポンプ出力電圧ＶCPOをモニターする検出回路１４と、入力端子Ｐiに接続され、入力電圧ＶINをモニターする検出回路１６と、検出回路１４と検出回路１６との間に接続され、検出回路１４と検出回路１６の検出結果を比較して、チャージポンプ回路１０に適応倍率を調整するためのフィードバック信号Ｓf2を供給する論理回路１８とを備える。
【００４５】
第５の実施の形態の変形例１に係るチャージポンプ適応倍率回路１においては、第３の実施の形態と同様に、論理回路１８内に、予め、検出回路１４と検出回路１６の検出結果にも基づいて、チャージポンプ回路１０の適応倍率を変化させるためのフィードバック信号Ｓf2をプログラムしておくとができる。その他の構成は、第５の実施の形態と同様であるため、重複説明は省略する。
【００４６】
第５の実施の形態の変形例１によれば、入力電圧ＶINとチャージポンプ出力電圧ＶCPOとの検出結果を比較して、入出力電圧の倍率を可変にすることにより、低損失化されたチャージポンプ適応倍率回路を提供することができる。
【００４７】
（変形例２）
第５の実施の形態に係るチャージポンプ適応倍率回路１には、図７に示された第４の実施の形態と同様の構成も適用可能である。
【００４８】
第５の実施の形態の変形例２に係るチャージポンプ適応倍率回路１は、図１０に示すように、レギュレータ出力端子ＰLDOに接続され、レギュレータ出力電圧ＶLDOのＡＣ成分をモニターして、チャージポンプ回路１０に適応倍率を調整するためのフィードバック信号Ｓf3を供給する検出回路２０を備える。
【００４９】
第５の実施の形態の変形例２に係るチャージポンプ適応倍率回路１においては、第４の実施の形態と同様に、検出回路２０において、レギュレータ出力端子ＰLDOの負荷電流によって変化するレギュレータ出力電圧ＶLDOの変動を、ＡＣ的な電流パルスとして検出する。検出回路２０は、この検出結果に基づいて、チャージポンプ回路１０に適応倍率を調整するためのフィードバック信号Ｓf3を出力し、チャージポンプ回路１０の適応倍率を、例えば、１倍から２倍、若しくは２倍から１倍へと変化させることができる。その他の構成は、第５の実施の形態と同様であるため、重複説明は省略する。
【００５０】
第５の実施の形態の変形例２によれば、レギュレータ出力電圧ＶLDOのＡＣ成分の検出結果に基づいて、入出力電圧の倍率を可変にすることにより、低損失化されたチャージポンプ適応倍率回路を提供することができる。
【００５１】
以上説明した少なくともひとつの実施形態によれば、入出力電圧の倍率を可変にすることより、低損失化されたチャージポンプ適応倍率回路を提供することができる。
【００５２】
（その他の実施の形態）
上記のように、本発明は第１〜第５の実施の形態によって記載したが、この開示の一部をなす論述および図面はこの発明を限定するものであると理解すべきではない。この開示から当業者には様々な代替実施の形態、実施例および運用技術が明らかとなろう。
【００５３】
このように、本発明はここでは記載していない様々な実施の形態等を含むことは勿論である。したがって、本発明の技術的範囲は上記の説明から妥当な特許請求の範囲に係る発明特定事項によってのみ定められるものである。
【産業上の利用可能性】
【００５４】
本発明のチャージポンプ適応倍率回路は、携帯電話、スマートフォン、ＰＤＡ、ポータブル・メディア・プレーヤー、デジタルカメラ、無線ＬＡＮなどのモバイル製品の電源に適用可能である。
【符号の説明】
【００５５】
１…チャージポンプ適応倍率回路
１０…チャージポンプ回路
１０ａ…第１チャージポンプユニット
１０ｂ…第２チャージポンプユニット
１２…レギュレータ
１４、１６、２０、２２…検出回路
１８…論理回路
２４…発振器
ＶIN ，Ｖi1…入力電圧
ＶCPO…チャージポンプ出力電圧
ＶLDO…レギュレータ出力電圧
Ｖth…閾値電圧
Ｖp…交差電圧
φ，φp，φ0…効率
Ｃi…入力キャパシタ
Ｃ1…充電用キャパシタ
ＣO1、ＣO2…出力キャパシタ
Ｐi…入力端子
Ｐ1，Ｐ2…キャパシタ端子
ＰCPO…チャージポンプ出力端子
ＰLDO…レギュレータ出力端子
【図１】
0005802001.tif 000002
【図２】
0005802001.tif 000003
【図３】
0005802001.tif 000004
【図４】
0005802001.tif 000005
【図５】
0005802001.tif 000006
【図６】
0005802001.tif 000007
【図７】
0005802001.tif 000008
【図８】
0005802001.tif 000009
【図９】
0005802001.tif 000010
【図１０】
0005802001.tif 000011